(57)【特許請求の範囲】
【請求項１】
所要幅員と左右水路壁部が任意角度に形成可能な門形ブロック製造用型枠であって、フレーム上に形成され平面視下で前後動、左右動または旋回した自由位置において相互間を固定可能に設けた任意形状の上面部を有する任意数の調整中子と、端部フレーム上に前記調整中子と同一高さの上面部と上面部に連なる隅部と垂直部を形成した左右端部中子と、垂直部に一端側を摺接する交換可能な任意高さの左右底面部材と、底面部材の他端側には前後側面に封着機能を有し前後左右方向へ摺動可能に支承して背面側に進退機構を備えて端部フレーム上に立設した左右側板と、前記調整中子と端部中子上面の水平部に封着して固定可能な複数の前後妻板と、左右側板の前後側面を押圧して固定すると共に、前記隅部と垂直部に封着して当接し底面部材の前後側面を押圧して固定可能な前後の左右端部妻板とを具備した、ことを特徴とする門形ブロック製造用型枠。
【請求項２】
前記調整中子と端部中子のうち何れか一個または複数の中子の中心点の直下または任意位置のフレーム底部に旋回機構を内設した、ことを特徴とする請求項１記載の門形ブロック製造用型枠。
【請求項３】
前記調整中子と左右端部中子の間または調整中子の間を任意平面形状の調整板で橋絡した、ことを特徴とする請求項１または２何れか１項記載の門形ブロック製造用型枠。
【請求項４】
前記調整中子の一部または集合した調整中子と左右端部中子の上面部が水平面、傾斜面、曲面である、ことを特徴とする請求項１乃至３のうち何れか１項記載の門形ブロック製造用型枠。
【請求項５】
前記調整中子上面と接する前後妻板の任意位置に１枚または複数枚の封着して固定可能な仕切板を有する、ことを特徴とする請求項１乃至４のうち何れか１項記載の門形ブロック製造用型枠。
【発明の詳細な説明】
【技術分野】
【０００１】
本発明は、所要幅員と左右水路壁が任意角度に形成可能な門形ブロック製造用型枠に関する。
【背景技術】
【０００２】
図１２（ａ）に示すのは、土木施工において水路用または上下に連結して暗渠ブロック等に多用されている門形ブロック１０であり、（ｂ）に示すのは、門形ブロック１０を上下に連結した暗渠ブロック２０である。しかし、従来技術の門形ブロック製造用型枠では、所要幅員を調整可能なものも少なく、左右水路壁１１，１２が端部１０Ｆ，１０Ｒに対し平面視下で直角（以下、水路壁の角度とは、端部１０Ｆ，１０Ｒに対する平面視下での角度をいう）の製品しかできなかった。
【０００３】
前記理由により、水路と道路あるいは道路と道路が立体交差する施工現場では、道路下等に門形ブロック１０または上下に連結した暗渠ブロック２０を潜らせたりするが、門形ブロック１０や暗渠ブロック２０の図中一点鎖線で示す延長線Ｃ１と前記道路等が直交する以外の現場では、見場を良くするため採算を度外視して製造工場で門形ブロックの前端部１０Ｆ、後端部１０Ｒ等の所要位置に角度を付けることが多く望まれ、門形ブロック製造用型枠の前後端部の所定位置に所要角度の仕切板をその都度作って電溶で仮付けして打設したり、通常に製造した門形ブロック１０の所望される前後何れかの端部１０Ｆ，１０Ｒをワイヤソウ等で切断ｃｕ（図中破線で示す）して納品することが多く、このような煩雑な方法で端部加工の要望に答えているが、製造の初期段階から門形ブロック１０の左右水路壁１１，１２に角度を付けて形成することはできなかった。
【０００４】
部材交換又は調整により所要の水路幅員・水路壁厚・水路深さ等の異なる製品に対応する水路ブロック製造用型枠として、次に記載する特許文献がある。
【特許文献１】特開２０００−１３５７０８号公報
【特許文献２】特開２００４−１４２１５６号公報
【特許文献３】実開平６−５９０１６号公報
【発明の開示】
【発明が解決しようとする課題】
【０００５】
従来の型枠を用いて門形ブロックを製造する場合には、左右水路壁を平面視下で任意の角度に形成したり、前記任意の角度に伴う水路内幅が斜長を含めた所要幅員に対応出来ない点が問題である。
【０００６】
門形ブロック製造用型枠として、水路幅員を半端寸法を含む任意寸法に形成したり、左右水路壁を平面視下で任意角度に傾斜させて形成したり、左右水路壁を任意角度のハの字形に形成可能にしたり、構成要素である端部中子と調整中子を左右動と旋回等を利用して配列し型枠組換時の労力を軽減可能な斬新な構成を開発し、所望される所要幅員と任意角度の水路壁を有する門形ブロックを提供すること。
【課題を解決するための手段】
【０００７】
本発明の請求項１では、所要幅員と左右水路壁部が任意角度に形成可能な門形ブロック製造用型枠であって、フレーム上に形成され平面視下で前後動、左右動または旋回した自由位置において相互間（隣接する上面板裏面とフレーム下部の）を（前後方向に連設したトッグルクランプまたは他の公知クランプ、公知締付ネジ等を用いて）固定可能に設けた任意形状の上面部を有する任意数の調整中子と、端部フレーム上に前記調整中子と同一高さの上面部と上面部に連なる隅部と垂直部（内側へ変位可能な）を形成した左右端部中子と、垂直部に一端側を摺接する交換可能な任意高さの左右底面部材と、底面部材の他端側には前後側面（端部の）に封着機能（側板端部がパッキンを埋設した鋭角状の平面形状による）を有し前後左右方向へ摺動可能に支承（側板下部と背面側を）して背面側に進退機能を備えて端部フレーム上に立設した左右側板と、前記調整中子と端部中子上面の水平部に封着して固定可能な複数の前後妻板と、左右側板の前後側面を押圧して固定すると共に、前記隅部と垂直部に封着して当接し底面部材の前後側面を押圧して固定可能な前後の左右端部妻板とを具備した、ことを特徴とする門形ブロック製造用型枠を構成している。
【０００８】
本発明の請求項２では、型枠サイズが大なる場合の労力の軽減のため台枠または基礎上で前記前後動操作を行わずとも左右動と旋回等を利用して前記調整中子と端部中子等を配列する場合を勘案し、前記調整中子と端部中子のうち何れか一個または複数の中子（調整中子と端部中子等）の中心点（平面視）の直下または任意位置（平面視）のフレーム底部（フレーム底部と旋回基盤の間）に旋回機構を内設した、ことを特徴とする請求項１記載の門形ブロック製造用型枠を構成している。
【０００９】
また、本発明の請求項３では、水路幅員を半端寸法を含む任意寸法に形成したり、片側の水路壁のみを傾斜させて形成するために、前記調整中子と左右端部中子の間または調整中子の間を任意平面形状（長方形または三角形、台形等）の調整板で橋絡（固着可能に）した、ことを特徴とする請求項１または２何れか１項記載の門形ブロック製造用型枠を構成している。
【００１０】
また、本発明の請求項４では、前記調整中子の一部または集合した調整中子と左右端部中子の上面部が水平面、傾斜面（前後方向に傾斜して入口の高さサイズを増す）、曲面（アーチを含む円弧状または凹凸部分を含む任意曲線等）である、ことを特徴とする請求項１乃至３のうち何れか１項記載の門形ブロック製造用型枠を構成している。
【００１１】
更にまた、本発明の請求項５では、前記調整中子上面と接する前後妻板の任意位置に１枚または複数枚の封着して固定可能な仕切板を有する、ことを特徴とする請求項１乃至４のうち何れか１項記載の門形ブロック製造用型枠を構成している。
【実施例】
【００１２】
図１は、本発明に係る門形ブロック製造用型枠ＰＫの概略を示す正面図で、図２は、本発明に係る門形ブロック製造用型枠ＰＫの概略を示す平面図で、図３は、図１で示した門形ブロック製造用型枠ＰＫの左端部の拡大図で、図４は、図２で示した門形ブロック製造用型枠ＰＫの左端部の拡大図で、図５は、門形ブロック製造用型枠ＰＫを斜角用配置に組換た場合の左端部の拡大平面図である。
【００１３】
以下、図１，図２を用いて門形ブロック製造用型枠ＰＫの概略を示すと、構成要素である複数の調整中子５０は、フレーム底部７２上に剛性を有して立設したフレーム７０上部に上面部６０（調整中子５０の上面板）を貼着して構成し、複数の調整中子５０を挟んで両側に配設した左端部中子１００Ｌと右端部中子１００Ｒは、フレーム底部１１２上に剛性を有して立設したフレーム１１０上部に水平な上面部１２６（端部中子の上面板）を固着し、上面部１２６と隣接する隅部１２８と変位可能な垂直部１３０から成る中子端部を立設し、垂直部１３０の下部には底面部材１５０を挟んで後に詳記する進退可能な左右の側板２００を立設して構成し、前記複数の調整中子５０を挟んで両側に配設した左端部中子１００Ｌと右端部中子１００Ｒ等を前後動も無く、隣接する相互の中子の上面部１２６，６０の裏面間と相互のフレーム底部間１１２，７２を固着（螺着またはクランプ等で）して一体化した状態で、集合した複数の調整中子５０の上面部６０の前後には前後妻板８０を平行状態で製品長さＬ離間して着脱可能（後に示す脱着部８２により）に立設し、前後妻板８０上部間には打設時の変形を防ぐ橋絡杆８３を渡設している。そして、左端部中子１００Ｌと右端部中子１００Ｒの上面部１２６の上面と隅部１２８及び垂直部１３０に当接すると共に、左右の側板端部２２０（前後側面の鋭角状当接部にパッキンｐを植設した）と底面部材１５０の底面部上面板１５２に当接する略『形に形成した前後の端部妻板２８０内面が前記前後の妻板８０内面と同一面に装着されている。この配列では、図１０に示す左右水路壁ＳＬ，ＳＲが直角な門形ブロックＳＢが形成される。
【００１４】
図３は、図１で示した門形ブロック製造用型枠ＰＫの左端部の拡大図（手前の端部妻板２８０は一部破断した）で、図４は、図２で示した門形ブロック製造用型枠ＰＫの左端部の拡大図で、旋回すること無く配置した左端部中子１００Ｌと前後動無く連結した調整中子５０を示している。左端部中子１００Ｌと調整中子５０の連結は、下部側は左端部中子１００Ｌのフレーム底部１１２と調整中子５０のフレーム底部７２端部を螺着またはクランプ等による締付で連結し、上部側はフレーム底部１１２上に立設したフレーム１１０のフレーム上端部１１６（端部中子の上面部１２６の裏面側）と調整中子５０のフレーム上端部７６間を螺着またはクランプ等によって連結して一体化した状態で示しており、左端部中子１００Ｌの中子部分は前記立設したフレーム１１０上に固着した上面部１２６と、傾斜した隅部１２８に続いて鋼板の弾性変形により内側へ変位可能な水路壁内面（門形ブロックの）を形成する垂直部１３０とから成り、垂直部１３０の下部にはフレーム底部１１２に固着した斜面を有するストッパ１３５が垂直部１３０の垂下を防止するため設けられ、ストッパ１３５に近接して底面部上面板１５２を設けた底面部材１５０を載置し、底面部上面板１５２に当接する左側板２００は、側板端部２２０（鋭角状当接部）にパッキンｐを植設し、前後左右方向（平面視）へ摺動可能に支持（と背面側を）するため背面側の上下要所に丸棒状の前後動ガイド２４２を横設して固着し、前後動ガイド２４２を握持して摺動可能な先端支持部２４５と回動可能に係合した調整螺杆２５０（進退機能のための）にロックナット２４８を螺嵌して、フレーム底部１１２上に立設した支持部２７０に内設したスライド可能な（破線矢符方向へ）雌ネジ部材２４６に螺入し、調整螺杆２５０を介して背面側から支持して側板下部２１０を摺動可能に設け、斜角時の側板２００の不足長さ調整用の追加部材２６０を挿入可能に設けている。そして、左右側板２００と前記垂直部１３０の前後端部リブ部１３１と支持部２７０の間にはトッグルクランプｃｒを操作側に設けた緊締部材１４０を渡設すると共に、前記前後端部リブ部１３１と前後の立設したフレーム１１０間にはトッグルクランプｃｒを使用した拡縮杆１３２（操作により垂直部１３０内側へ牽引する）を設け、緊締部材１４０の開放後拡縮杆１３２の操作により前記垂直部１３０が強制的に内側へ変位するよう構成している。以上の構成により、脱型時に前記緊締部材１４０を開放し拡縮杆１３２を操作し、前後の妻板８０と前後の左右端部妻板２８０の少なくとも前後何れか一方を外せば門形ブロックを容易に脱型することができる。
【００１５】
また、前記垂直部１３０裏面側と立設したフレーム１１０間に図示しない引張スプリングを内設して、緊締部材１４０の開放により垂直部１３０を内側へ縮退させることもできる。なお、図３に破線１３３で示すよう垂直部１３０を左方へ傾斜させて構成すれば端部中子の拡縮を必要とせずに製品の脱型が行える。
【００１６】
図５は、前出の図１乃至４で示した門形ブロック製造用型枠ＰＫを斜角用配置に組換た場合の左端部の拡大平面図で、例えば左端部中子１００Ｌのみを基準線Ｃに対して所要角度に（図では約１５度右旋回して）設置し、斜に設置した左端部中子１００Ｌの端部１０１に複数の調整中子５０の端部５１を順次同一角度で沿わせて、前記基準線Ｃ上に複数の調整中子５０を斜めに整列（中心点ｏを略揃えて）し右端に図示省略の右端部中子１００Ｒを連結して一体化し、調整中子５０の上面部６０と両端部中子１００Ｌ，１００Ｒの上面部の間に前後妻板８０を脱着部８２を介して締付け、斜角配置による妻板８０の不足長さは調整妻板８８を挟着して補い、所定間隔（製品長さ）Ｌで平行に立設し前後妻板８０，８０間には前記橋絡杵８３を渡設し、左端部中子１００Ｌと右端部中子１００Ｒに脱着部２８２を介して装着した前後の端部妻板２８０は、側板２００の封着可能な側板端部２２０に内面を当接させると共に、端部中子の隅部１２８と垂直部１３０に封着して当接し、底面部上面板１５２と前記左右側板２００の側板端部２２０を押圧して固定可能に設けており、前記緊締部材１４０を緊締すれば図１０に示す左右水路壁ＳＬ，ＳＲに所要角度が付いた平行四辺形（平面形が）の斜角門形ブロックＳＳを形成することができる。
【００１７】
図６は、本発明の請求項２に係る旋回機構の説明図で、左右の端部中子１００Ｌ，１００Ｒのフレーム底部１１２と調整中子５０のフレーム底部７２の下に旋回基盤１１３を設け、両者に設けた軸支部１２１により旋回軸１２２を軸支し、それぞれの左右の端部中子１００Ｌ，１００Ｒと調整中子５０を旋回可能に構成している。なお、本発明の門形ブロック製造用型枠ＰＫが軽量な場合には旋回機構を用いないで実施することもでき、生産工場の天井クレーン、ホークリフト等の重機を使用することもできる。
【００１８】
図示を省略するが、前記旋回に関わる別の実施例では、チャンネル状のレールを打設工場の基礎コンクリートに埋設して置き、調整中子５０と端部中子１００Ｌ，１００Ｒの後（前）端部近辺に旋回中心が来るよう、簡単な丸棒状の旋回軸を下方に垂設するか突出可能に設け、調整中子５０と左右端部中子１００Ｌ，１００Ｒの前記丸棒状旋回軸先端を前記レールに旋回兼摺動可能に挿入して左右端部中子１００Ｌ，１００Ｒの何れかを所定角度に偏向し、その角度に合わせて調整中子５０を摺接して固定すれば型枠全体の組付、組換が容易に行え少量多品種の生産下での型枠投資を軽減することもできる。
【００１９】
図７は、本発明の請求項３に係る門形ブロック製造用型枠ＰＫの各種の配列を示す概略平面図である。
（ａ）に示すのは、斜角用に配設する両端の左端部中子１００Ｌと右端部中子１００Ｒの間に所要幅員Ｗ（図１０に示す）を満たすために複数の調整中子５０の間に所要幅長方形の調整板６６を他の上面部６０と上面面一に固着している。なお、斜角による妻板８０の延び寸法（不足長さ）は調整妻板８８を挟着して補っている。
【００２０】
（ｂ）に示すのは、左の水路壁ＳＬは斜角で右の水路壁ＳＲは直角に形成する場合で、直角にセットした左端部中子１００Ｌ（右端部中子１００Ｒ）と隣接する調整中子５０の間に、台形の調整板６８と長方形の調整板６６を渡設し固着している。なお、この配列で用いた前記長方形の調整板６６に換えて前記台形の調整板６８を前後逆に作成し装着（固着）すれば、左右水路壁ＳＬ，ＳＲが同一角でハの字形に開いた斜角門形ブロックＳＳを形成することもできる。
【００２１】
（ｃ）に示すのは、左右水路壁ＳＬ，ＳＲがハの字に開いた斜角門形ブロックＳＳを形成する場合で、門形ブロック製造用型枠ＰＫの略中間の調整中子５０，５０の間を平面形が台形の調整板６８で橋絡し、門形ブロック製造用型枠ＰＫは屈曲した状態にセットされている。
【００２２】
（ｄ）に示すのは、特殊な例であって斜めに配置した左右の端部中子１００Ｌ，１００Ｒの間に調整中子５０と台形または三角形の調整板６８で橋絡して斜角門形ブロックの平面形がへ字形に屈曲した斜角門形ブロックを形成することができ、水路使用する場合の合流用または分流用の特殊形状の斜角門形ブロックを作ることができる。
【００２３】
図８は、左端部中子１００Ｌ（右端部中子１００Ｒ）と調整中子５０（調整中子５０間を含む）の接合部を示す図で、前記上面部６０のフレーム左端部に切欠部６５を穿設し隣接する調整中子５０の端部裏面側の突出板６７を支承して、両者連結時にボルトｂ・ナットｎ等により上面面一に連結されるよう構成する。
【００２４】
図９は、左端部中子１００Ｌ（右端部中子１００Ｒ）と調整中子５０（調整中子５０間を含む）の間に橋絡して使用する前記調整板６６または台形の調整板６８等の接合部を示す図で、調整板６６，６８の右側裏面から突出板６７を突設し、左側端部裏面のフレームに切欠部６５を穿設し隣接する調整中子５０の端部裏面側の突出板６７を支承して、両者連結時にボルトｂ・ナットｎ等により上面面一に連結されるよう構成する。
【００２５】
図１０は、門形ブロックを使用した施工の一例を示す斜視図で、後方に左右水路壁が斜角の門形ブロックＳＳを二個連設し、間隔をおいて左右水路壁が直角の標準タイプの門形ブロックＳＢを二個連設し、その前端部に左側水路壁ＳＬが直角で右側水路壁ＳＲが斜角のそれぞれ幅員の異なる斜角門形ブロックを二個連結し、手前側の二個の斜角門形ブロックはハの字形に開いて順次幅員Ｗを増して形成された斜角門形ブロックＳＳ等による隧道の施工を示している。
【００２６】
図１１に示すのは、本発明の請求項４に係る門形ブロック製造用型枠ＰＫの端部中子１００Ｌ，１００Ｒ、調整中子５０等を集合させた上面板の連続した概略形状の変更例の説明図で、概略形状を変更することにより、図１１（ａ），（ｂ），（ｃ），（ｄ），（ｅ），（ｆ），（ｋ）に示すような各種断面の斜角門形ブロック、特殊門形ブロック、または斜角の付いた平板ブロック（ｈ），（ｉ），（ｊ）等を形成することができ、請求項５に係る前後妻板８０間の任意位置に図示しない仕切板を入れて打設すれば図中（ｇ）のＬ形擁壁ブロックを作ることもできる。
【図面の簡単な説明】
【００２７】
【図１】本発明に係る門形ブロック製造用型枠ＰＫの概略を示す正面図。
【図２】本発明に係る門形ブロック製造用型枠ＰＫの概略を示す平面図。
【図３】図１で示した門形ブロック製造用型枠ＰＫの左端部の拡大図。
【図４】図２で示した門形ブロック製造用型枠ＰＫの左端部の拡大図。
【図５】門形ブロック製造用型枠ＰＫを斜角用配置に組換た場合の左端部の拡大平面図。
【図６】本発明の請求項２に係る旋回機構の説明図。
【図７】本発明の請求項３に係る門形ブロック製造用型枠ＰＫの各種の配列を示す概略平面図。
【図８】左端部中子１００Ｌ（右端部中子１００Ｒ）と調整中子５０（調整中子５０間を含む）の接合部を示す図。
【図９】左端部中子１００Ｌ（右端部中子１００Ｒ）と調整中子５０（調整中子５０間を含む）の間に橋絡して使用する調整板６６または台形の調整板６８等の接合部を示す図。
【図１０】門形ブロックを使用した施工の一例を示す斜視図。
【図１１】本発明の請求項４に係る門形ブロック製造用型枠ＰＫの端部中子１００Ｌ，１００Ｒ、調整中子５０等を集合させた上面板の連続した概略形状の変更例の説明図。
【図１２】従来技術の門形ブロックを示す斜視図。
【符号の説明】
【００２８】
ａｃ−鋭角（水路壁の角度が）
ｃｒ−トッグルクランプ
Ｌ−製品長さ
ｏｂ−鈍角（水路壁の角度が）
ｐ−パッキン
ＰＫ−本発明の門形ブロック製造用型枠
ＳＢ−門形ブロック（左右水路壁が直角な）
ＳＬ−左側壁（門形ブロックの）
ＳＲ−右側壁（門形ブロックの）
ＳＳ−斜角門形ブロック
１０−従来の左右水路壁が直角な門形ブロック
１１，１２−左右水路壁（従来の門形ブロックの）
５０−調整中子（幅員を調整する）
６０−上面部（調整中子５０の上面板）
６６−調整板
６８−調整板（任意角度の三角形または台形の）
７０−立設したフレーム（調整中子の）
７２−フレーム底部（調整中子の）
７６−フレーム上端部（上面部６０の裏面側）
８０−妻板（調整中子５０上に固着する）
８２−脱着部（妻板を前後調整可能に着脱する）
８８−調整妻板
８９−特殊調整妻板
１００Ｌ−左端部中子
１００Ｒ−右端部中子
１１０−立設したフレーム（端部中子の）
１１２−フレーム底部（端部中子の）
１１３−旋回基盤
１１６−フレーム上端部（上面部１２６の裏面側）
１２０−旋回機構
１２１−軸支部
１２２−旋回軸
１２６−上面部（端部中子の上面板）
１２８−隅部
１３０−垂直部（端部中子の）
１３１−リブ部
１３２−拡縮杆（端部中子の）
１４０−緊締部材
１５０−底面部材
１５２−底面部上面板（斜角により交換）
１５４−底面部側面（前後の）
２００−側板
２１０−側板下部（摺動可能な）
２２０−側板端部
２４０−側板背面
２４２−前後動ガイド
２４６−雌ネジ部材（スライド可能な）
２４８−ロックナット
２５０−調整螺杆（ロックナットを外嵌した）
２６０−側板の追加部材（長さ調整用）
２７０−支持部
２８０−端部妻板
２８２−脱着部（端部妻板を前後調整可能に着脱する）
【図１】
0003959416.tif 000002
【図２】
0003959416.tif 000003
【図３】
0003959416.tif 000004
【図４】
0003959416.tif 000005
【図５】
0003959416.tif 000006
【図６】
0003959416.tif 000007
【図７】
0003959416.tif 000008
【図８】
0003959416.tif 000009
【図９】
0003959416.tif 000010
【図１０】
0003959416.tif 000011
【図１１】
0003959416.tif 000012
【図１２】
0003959416.tif 000013